【事件の表示】
　平成　３年特許願第１１８８５５号「光ディスク装置」拒絶査定に対する審判事件［平成　４年１２月　１日出願公開、特開平　４−３４５９７７］について、次のとおり審決する。
【結　論】
　本件審判の請求は、成り立たない。
【理　由】
１、手続の経緯、本願発明の認定
　本願は、平成３年５月２３日の出願であって、その発明は、補正された明細書及び図面の記載によれば特許請求の範囲の請求項１および２に記載されたとおりのものと認められるが、そのうちの請求項１に記載された発明は、
「スライダ部を有する浮上型ヘッドを、光ディスクに非接触の状態から前記光ディスク上に浮上させる光ディスク装置において、
　前記光ディスクの停止時に前記浮上型ヘッドを前記光ディスクに非接触の状態で拘束するとともに、定常回転する前記光ディスク上で、前記拘束手段による前記浮上型ヘッドの拘束を解除して、前記浮上型ヘッドの前記スライダ部の底面を前記光ディスクの表面に対してほぼ平行な姿勢とした状態で、前記浮上型ヘッドを前記光ディスクに接近させる昇降手段を有してなることを特徴とする光ディスク装置」（以下、本願発明という）
であると認める。
　
２、刊行物記載発明の認定
　これに対して、原審が拒絶の理由に引用した
特開平２−２３５８０号公報（以下、刊行物１という）には、
（１）特許請求の範囲の項に、
「（１）コンピュータを構成する記憶装置であるハードディスクドライブにおいて、記憶媒体であるハードディスクと、情報の書き込み及び呼び出しを行うヘッドとが、ハードディスクの回転が停止する状態で、当該ハードディスクの可動範囲最外周部近傍に当該ヘッドが位置し、且つ前記ハードディスクと前記ヘッドとが、非接触である方法を特徴とするハードディスクドライブ。
（２）ハードディスクの停止時に、ハードディスクとヘッドとが非接触である前第１項記載の方法が、テイパー形状もしくは、丸型変形形状をした構造物が、当該ヘッドを保持する板バネを押広げる方法であることを特徴とするハードディスクドライブ。」
（２）第１〜３図とその詳細な説明として、第３頁右上欄１８行〜左下欄９行の作用の項に「ハードディスク側から押し広げられることによって、当該ヘッドは、回転浮上したまま、ハードディスク面より持ち上げられることとなる。この動作の後にハードディスクは停止信号を受け、回転停止する。更に、ハードディスクの起動の際には、ハードディスクが起動信号を受け、規定回転数に達した後に、当該板バネは、前記構造物より外れる。このときには、ヘッドが浮上に必要な相対スピードは、確保されているのである。従って、ハードディスクの回転起動及び停止の際に生じる、浮上及び接触の繰り返しは、発生しない。」
（３）第４頁左下欄１９行〜右下欄第１行に「回転起動をする場合の、櫛歯６と、ヘッド２及びハードディスク１の、動作と作用は、前述の逆となり、」
（４）第４図とその詳細な説明である第４頁右下欄１７〜１９行に他の実施例の説明として「板バネ３及びヘッド２を、ハードディスク１に対して、水平度を保ちながら押し上げることに、有効である。」
の記載がある。
　この（４）記載の「保ちながら」という表現は、第１〜３図の実施例においても、回転起動時のヘッドとハードディスクの相対関係は水平度が保たれているが、停止時にその水平度を保ったまま押し上げることは難しいが、第４図の他の発明を用いればその水平度を保ったまま押し上げることができるという意味と解されるので、刊行物１の各実施例では起動時にはハードディスクとヘッドとは水平の関係にあるものと認められれ、第２図（起動時）及び第３図（停止時）からも、少なくとも回転起動時にはハードディスクとヘッドとは水平度が保たれていることが読みとれる。
　そうしてみると、刊行物１には、
　
　記憶媒体であるハードディスクと、情報の書き込み及び呼び出しを行うヘッドとを有するコンピュータを構成する記憶装置であるハードディスクドライブにおいて、
　該ヘッドは、板バネの先端に支持され、
　ハードディスクの回転が停止する状態で、当該ハードディスクの可動範囲最外周部近傍に当該ヘッドが位置するように板バネを構造物で持ち上げて固定し、
　回転起動時は、構造物を板バネから外すことにより、前記ハードディスクと前記ヘッドとが、非接触かつ水平状態で対峙するようにした、
　前記ハードディスクと前記ヘッドとが非接触であるハードディスクドライブ。（以下、刊行物１記載発明という）
　
  の発明が記載されているものと認める。  
　
　同じく引用した特開昭３ー１０４０６９号（以下、刊行物２という）には、第１〜８図とその詳細説明に関連して、磁界変調用磁気ヘッドロードアンロード装置の発明であって、特許請求の範囲に「透明でディスク状の基板上に垂直磁化膜からなる記録膜を形成し、この記録膜に垂直方向に磁界を印加した状態で、この記録膜にレーザ光を照射して加熱し、この記録膜の磁化の方向を情報として記録する光磁気ディスク装置に用いられ、前記変調磁界の印加を行う磁界変調用磁気ヘッドをその一端面に搭載し、流体の流れを利用して記録膜面上を浮上するスライダと、このスライダを支えるジンバルばねおよびサスペンションばねからなる磁界変調用磁気ヘッド支持体を、この支持体の一端においてキャリッジに接合し、このキャリッジを回転型あるいは直進型の位置決めアクチュエータに接合してなるポジショナ機構を有する磁界変調光磁気ディスク装置に適用の磁界変調磁気ヘッドロードアンロード装置において、
　前記ポジショナ機構の動作によって前記スライダが、所定のトラック上に存在する状態で、前記磁界変調用磁気ヘッド支持体のサスペンションばねの光磁気ディスク記録膜と対向する一部に接触可能であって、かつ積層型の圧電アクチュエータによって駆動される変位拡大機構と、
　前記磁界変調用磁気ヘッドのロードアンロード時には、前記変位拡大機構を前記磁界変調用磁気ヘッド支持体と一体結合し、かつ磁界変調用磁気ヘッドアクセス時には分離する分離結合機構と、
　ディスク交換時には、前記変位拡大機構を磁界変調用磁気ヘッドとともにディスク外に待避させる移動機構とを有することを特徴とする磁界変調用磁気ヘッドロードアンロード装置」（以下、刊行物２記載発明という）
の発明が記載されているものと認める。
３、対　比
　以下に、本願発明と刊行物１記載発明とを対比する。
　刊行物１記載発明の「ヘッド」及び「構造物」の用語が、本願発明の「浮上型ヘッド」及び「昇降手段」に対応するので、
　刊行物１の「該ヘッドは、板バネの先端に支持」され、「ディスクの回転が停止する状態」で、「ディスクの可動範囲最外周部近傍に当該ヘッドが位置するように板バネを構造物で持ち上げて固定し、回転起動時は、構造物を板バネから外すことにより、「ディスクと前記ヘッドとが、非接触かつ水平状態で対峙」するようにした・「ディスクと前記ヘッドとが非接触」である「ディスクドライブ」の各構成記載は、本願発明の「スライダ部を有する浮上型ヘッド」を、「ディスクに非接触の状態から前記「ディスク上に浮上」させる「ディスク装置」・「ディスクの停止時に前記浮上型ヘッド」を「ディスクに非接触の状態で拘束するとともに、定常回転」する「ディスク上で、前記拘束手段による前記浮上型ヘッドの拘束を解除して、前記浮上型ヘッドの前記スライダ部の底面」を「ディスクの表面に対してほぼ平行な姿勢とした状態で、前記浮上型ヘッド」を「ディスクに接近させる昇降手段を有して」・「ディスク装置」（以下、本願発明という）の構成記載と対応する構成記載と認められるので、
　刊行物１記載発明と本願発明とは、本願発明の用語・表現を用いて記載すれば
　
「スライダ部を有する浮上型ヘッド」を、「ディスクに非接触の状態」から「ディスク上に浮上」させる「ディスク装置」において、
　「ディスクの停止時に前記浮上型ヘッド」を「ディスクに非接触の状態で拘束するとともに、定常回転」する「ディスク上で、前記拘束手段による前記浮上型ヘッドの拘束を解除して、前記浮上型ヘッドの前記スライダ部の底面」を「ディスクの表面に対してほぼ平行な姿勢とした状態で、前記浮上型ヘッド」を「ディスクに接近させる昇降手段を有して」なる「ディスク装置」
では、一致（以下、一致点という）し、
　該浮上型ヘッドを適用する対象となるディスクが、刊行物１記載発明では「ハードディスクドライブ」であるのに対して、本願発明は「光ディスク装置」である点で相違（以下、相違点という）するものと認める。
　
４、相違点に対する当審の判断
　停止時及び定常回転時共、記憶媒体と接触しないようにした浮上型ヘッドを、本願発明が対象としている光ディスクの一種である光磁気ディスク装置に適用することが本願出願前公知の刊行物２に記載されていることから、刊行物１記載の発明を、ハードディスクドライブに換えて刊行物２記載の光磁気ディスクを含む光ディスク装置に採用することは、当業者が格別の発明力を要